(57)【要約】【課題】水抜きを可能とする防水テープを提供する。【解決手段】防水テープ本体２の少なくとも一面側に剥離紙４が貼り付けられる防水テープ１であって、連続形状の剥離紙４に対し防水テープ本体２が離間して断続的に配置されている。そして、防水テープ本体２に対する剥離紙４には、防水テープ本体２の離間部分３に対応するスリット５が形成されている。さらに、防水テープ本体２の離間部分３は、建物の基準設計寸法Ｌに対応して形成されており、具体的には、基準設計寸法Ｌごとに複数等間隔に形成されている。【選択図】図１
2016084592.tif 000002
【特許請求の範囲】
【請求項１】
防水テープ本体の少なくとも一面側に剥離紙が貼り付けられる防水テープであって、
連続形状の前記剥離紙に対し前記防水テープ本体が離間して断続的に配置されていることを特徴とする防水テープ。
【請求項２】
請求項１に記載の防水テープにおいて、
前記防水テープ本体に対する前記剥離紙には、前記防水テープ本体の前記離間部分に対応するスリットが形成されていることを特徴とする防水テープ。
【請求項３】
請求項１または２に記載の防水テープにおいて、
前記防水テープ本体の前記離間部分は、建物の基準設計寸法に対応して形成されていることを特徴とする防水テープ。
【請求項４】
請求項３に記載の防水テープにおいて、
前記防水テープ本体の前記離間部分は、前記基準設計寸法ごとに複数等間隔に形成されていることを特徴とする防水テープ。
【請求項５】
請求項４に記載の防水テープにおいて、
前記防水テープ本体は、建物の躯体と防水透湿シートとの間で横方向に断続的に貼り付けられることを特徴とする防水テープ。
【請求項６】
請求項１から５のいずれか一項に記載の防水テープにおいて、
前記剥離紙には、その長さ方向に沿って目盛りが設けられていることを特徴とする防水テープ。
【請求項７】
請求項１から６のいずれか一項に記載の防水テープにおいて、
前記剥離紙は、前記防水テープ本体よりも両側に幅広に形成されていることを特徴とする防水テープ。
【請求項８】
請求項１から７のいずれか一項に記載の防水テープにおいて、
前記防水テープ本体は、前記剥離紙に対しその長さ方向及び幅方向に各々離間して配置されることを特徴とする防水テープ。
【請求項９】
請求項１から８のいずれか一項に記載の防水テープにおいて、
前記離間部分は、一端側が幅広で他端側が幅狭となるテーパ状に形成されていることを特徴とする防水テープ。
【発明の詳細な説明】
【技術分野】
【０００１】
本発明は、防水テープ本体の少なくとも一面側に剥離紙が貼り付けられる防水テープに関する。
【背景技術】
【０００２】
住宅などの建物において、壁内の湿気を積極的に屋外に排出し、壁内の結露を防ぐため、建物躯体と外装材の間に、例えば特許文献１で知られるように防水透湿シートを用いる外壁通気工法が採用される。
具体的には、防水透湿シートは躯体に粘着性を具備するブチルゴム等の防水テープを介して貼り付けられる。そして、防水テープはその防水テープ本体の片面または両面に剥離紙が貼り付けられている。
【先行技術文献】
【特許文献】
【０００３】
【特許文献１】特開２０１３‐７２１９０号公報
【発明の概要】
【発明が解決しようとする課題】
【０００４】
しかし、外装材から防水透湿シートの裏面に浸入した水が防水テープにより邪魔されて下方に抜けなくなるといった問題がある。
【０００５】
そこで、本発明は、水抜きを可能とする防水テープを提供することを目的とする。
【課題を解決するための手段】
【０００６】
以上の課題を解決するため、請求項１に記載の発明は、例えば図１（図４〜図６）に示すように、
防水テープ本体２（２２・３２・４２）の少なくとも一面側に剥離紙４（２４・３４・４４）が貼り付けられる防水テープ１（２１・３１・４１）であって、
連続形状の前記剥離紙４（２４・３４・４４）に対し前記防水テープ本体２（２２・３２・４２）が離間して断続的に配置されていることを特徴とする。
【０００７】
請求項１に記載の発明によれば、連続形状の剥離紙４（２４・３４・４４）に対し防水テープ本体２（２２・３２・４２）が離間して断続的に配置されているので、防水テープ本体２（２２・３２・４２）を対象箇所に対し断続的に簡単に貼り付けることができる。
そして、その対象箇所に貼り付けた防水テープ本体２（２２・３２・４２）の断続的な離間部分３（２３・３３・４３）において、水抜きが可能となる。
【０００８】
請求項２に記載の発明は、例えば図２に示すように、
請求項１に記載の防水テープ１において、
前記防水テープ本体２に対する前記剥離紙４には、前記防水テープ本体２の前記離間部分３に対応するスリット５が形成されていることを特徴とする。
【０００９】
請求項２に記載の発明によれば、防水テープ１の剥離紙４に、防水テープ本体２の離間部分３に対応するスリット５が形成されているので、その剥離紙４に形成したスリット５を見て、防水テープ本体２の離間部分３の位置を確認できる。
【００１０】
請求項３に記載の発明は、例えば図１に示すように、
請求項１または２に記載の防水テープ１において、
前記防水テープ本体２の前記離間部分３は、建物の基準設計寸法Ｌに対応して形成されていることを特徴とする。
【００１１】
請求項３に記載の発明によれば、防水テープ本体２の離間部分３は、建物の基準設計寸法Ｌに対応して形成されているので、建物の対象箇所に貼り付けた防水テープ本体２には、基準設計寸法Ｌごとに必ず離間部分３ができる。
【００１２】
請求項４に記載の発明は、例えば図１に示すように、
請求項３に記載の防水テープ１において、
前記防水テープ本体２の前記離間部分３は、前記基準設計寸法Ｌごとに複数等間隔に形成されていることを特徴とする。
【００１３】
請求項４に記載の発明によれば、防水テープ本体２の離間部分３は、基準設計寸法Ｌごとに複数等間隔に形成されているので、建物の対象箇所に貼り付けた防水テープ本体２に、基準設計寸法Ｌごとに複数の離間部分３が等間隔にできる。
【００１４】
請求項５に記載の発明は、例えば図３に示すように、
請求項４に記載の防水テープ１において、
前記防水テープ本体２は、建物の躯体１３と防水透湿シート１６との間で横方向に断続的に貼り付けられることを特徴とする。
【００１５】
請求項５に記載の発明によれば、防水テープ本体２は、建物躯体１３と防水透湿シート１６との間で横方向に断続的に貼り付けられるので、その建物躯体１３と防水透湿シート１６との間で横方向に断続的に貼り付けられた防水テープ本体２の離間部分３から、防水透湿シート１６の裏面に浸入した水を下方に抜くことができる。
【００１６】
請求項６に記載の発明は、例えば図２に示すように、
請求項１から５のいずれか一項に記載の防水テープ１において、
前記剥離紙４には、その長さ方向に沿って目盛り８が設けられていることを特徴とする。
【００１７】
請求項６に記載の発明によれば、剥離紙４に、その長さ方向に沿って目盛り８が設けられているので、例えば建物躯体に対し防水テープ本体２の貼り付け長さを確認しながら作業することができる。
【００１８】
請求項７に記載の発明は、例えば図２に示すように、
請求項１から６のいずれか一項に記載の防水テープ１において、
前記剥離紙４は、前記防水テープ本体２よりも両側に幅広に形成されていることを特徴とする。
【００１９】
請求項７に記載の発明によれば、剥離紙４が、防水テープ本体２よりも両側に幅広に形成されているので、例えばスリット５を設けても、テープとして連続形状を維持することができる。
【００２０】
請求項８に記載の発明は、例えば図５に示すように、
請求項１から７のいずれか一項に記載の防水テープ３１において、
前記防水テープ本体３２は、前記剥離紙３４に対しその長さ方向及び幅方向に各々離間して配置されることを特徴とする。
【００２１】
請求項８に記載の発明によれば、防水テープ本体３２が、剥離紙３４に対しその長さ方向及び幅方向に各々離間して配置されることで、例えば建物躯体に対し防水テープ本体３２を横方向に貼り付けたり縦方向に貼り付けたりして、縦横兼用できる。
【００２２】
請求項９に記載の発明は、例えば図６に示すように、
請求項１から８のいずれか一項に記載の防水テープ４１において、
前記離間部分４３は、一端側が幅広で他端側が幅狭となるテーパ状に形成されていることを特徴とする。
【００２３】
請求項９に記載の発明によれば、離間部分４３が、一端側が幅広で他端側が幅狭となるテーパ状に形成されていることで、離間部分４３の幅広部を上方に位置させることにより水抜きがしやすくなって、下方の幅狭部から水が吹き上げにくくなる。
【発明の効果】
【００２４】
本発明によれば、水抜きが可能な防水テープを提供することができる。
【図面の簡単な説明】
【００２５】
【図１】本発明に係る防水テープを示すもので、その防水テープ本体と剥離紙の貼り付け構造を示した平面図である。
【図２】図１の一面側の剥離紙側から見た図である。
【図３】建物への適用例を示した概略斜視図である。
【図４】実施形態２を示すもので、防水テープ本体の一面側のみに剥離紙を設けた防水テープを示した平面図である。
【図５】実施形態３を示すもので、縦横使い兼用の防水テープ本体を示した正面図である。
【図６】実施形態４を示すもので、防水テープ本体及び離間部分の他の形状例を示した正面図である。
【発明を実施するための形態】
【００２６】
以下、図面を参照して本発明の実施の形態について説明する。
（実施形態１）
図１及び図２は本発明に係る防水テープ１の防水テープ本体２と剥離紙４・６の貼り付け構造を示すもので、防水テープ１は、図示のように、防水テープ本体２と、その両面に貼り付けられる剥離紙４・６とから構成される。
【００２７】
防水テープ本体２は、粘着性を具備するブチルゴム等の合成ゴムや、アクリル系やポリエステル系の樹脂材料からなり、その両面に連続形状の剥離紙４・６が各々貼り付けられている。
そして、両面の連続形状の剥離紙４・６に対して防水テープ本体２が、図１に示すように、離間して断続的に配置されている。
【００２８】
図１に示すように、両面の連続形状の剥離紙４・６に対する横方向に断続的な防水テープ本体２の離間部分３は、建物の基準設計寸法Ｌごとに複数等間隔に形成されている。
実施例において、防水テープ本体２の離間部分３は、基準設計寸法Ｌ＝９１０ｍｍで、その四分割の２２７．５ｍｍの位置に設けられている。
ここで、耐力壁や窓サッシはＬの倍数の寸法で作られ、そのＬ/４の２２７．５ｍｍピッチで配置される。
そして、配置の仕方によってはＬ以下の寸法の壁面も生まれるが、そこに防水テープ本体２を貼っても必ず離間部分３が形成される。
【００２９】
また、図２に示すように、防水テープ本体２に対する一面側の剥離紙４には、防水テープ本体２の離間部分３に対応するスリット５が等間隔に形成されている。
この剥離紙４に形成したスリット５を見て、防水テープ本体２の離間部分３の位置を確認することができる。
【００３０】
そして、剥離紙４は、防水テープ本体２よりも両側に幅が広い幅広部７となっていて、その一側縁に沿って寸法を表す目盛り８が設けられるとともに、基準位置に対応した数字「０」と基準設計寸法に対応した数字「９１０」が表示されている。
【００３１】
このように、剥離紙４が、防水テープ本体２よりも両側に幅が広い幅広部７となっていることで、スリット５を設けても、テープとして連続形状を維持することができる。
また、剥離紙４の一側縁に沿って寸法を表す目盛り８と数字「０」「９１０」が表示されているので、次に説明する建物躯体に防水テープ本体２を貼り付ける際の基準位置、基準設計寸法及び貼り付け長さを確認しながら作業することができる。
【００３２】
次に、図３は建物への適用例を示したもので、１１は基礎、１２は台輪、１３は床パネルと共に基礎に載せられる半土台、１４は基礎水切り、１５は外壁パネル、１６は外壁防水透湿シートである。
【００３３】
図示のように、基礎１１上の台輪１２上の半土台１３の外面と、その下半部に取り付けた基礎水切り１４の上部に沿って、横方向に防水テープ本体２を断続的に貼り付けておく。
すなわち、防水テープ１を用い、その一方の剥離紙６を剥がして、防水テープ本体２を半土台１３及び基礎水切り１４の外面に沿って横方向に離間部分３を断続的に設けた状態で貼り付ける。
【００３４】
そして、外壁パネル１５に接着剤で貼り付ける外壁防水透湿シート１６の下部を、表面の剥離紙４を剥がして露出させた防水テープ本体２に貼り付けていく。
その後、外壁防水透湿シート１６の外側に図示しない外装材が取り付けられる。
【００３５】
以上、実施形態によれば、建物躯体の半土台１３と外壁防水透湿シート１６との間で横方向に断続的に防水テープ本体２が貼り付けられる防水テープ１なので、その半土台１３と外壁防水透湿シート１６との間で横方向に断続的に貼り付けられた防水テープ本体２の離間部分３から、外壁防水透湿シート１６の裏面に浸入した水を下方に抜くことができる。
【００３６】
このように、横方向に断続的に設けた防水テープ本体２の離間部分３から水抜きが可能な防水テープ１を提供することができる。
【００３７】
（実施形態２）
図４は実施形態２を示すもので、２１は防水テープ、２２は防水テープ本体、２３は離間部分、２４は剥離紙、２６はロール芯、２７は端部カバーである。
【００３８】
実施形態２は防水テープの他の構成例を示すもので、図示のように、防水テープ２１は、離間部分２３を断続的に設けて配置した防水テープ本体２２の一面側のみに剥離紙２４が設けられている。そして、その一端側から防水テープ本体２２の他面側がロール芯２６に巻き付けられている。そのロール芯２６の両端には端部カバー２７が設けられている。
【００３９】
このように、離間部分２３を断続的に設けて配置した防水テープ本体２２の一面側のみに剥離紙２４が設けられた防水テープ２１であってよい。
【００４０】
（実施形態３）
図５は実施形態３を示すもので、３１は防水テープ、３２は防水テープ本体、３３は離間部分、３４は剥離紙である。
【００４１】
実施形態３は防水テープ本体の他の配置例を示すもので、図示のように、防水テープ３１は、防水テープ本体３２が剥離紙３４に対し長さ方向及び幅方向に離間部分３３を各々設けて等間隔に配置されて、その防水テープ本体３２の離間部分３３が十字状に交差した縦横使い兼用タイプとなっている。
【００４２】
このように、剥離紙３４に対し防水テープ本体３２をその長さ方向及び幅方向に各々離間して配置することで、例えば建物躯体に対し防水テープ本体３２を横方向に貼り付けたり縦方向に貼り付けたりして、縦横兼用することができる。
【００４３】
（実施形態４）
図６は実施形態４を示すもので、４１は防水テープ、４２は防水テープ本体、４３は離間部分、４４は剥離紙である。
【００４４】
実施形態４は防水テープ本体及び離間部分の他の形状例を示すもので、図示のように、防水テープ４１は、防水テープ本体４２が、下辺に対し上辺が短い台形状で、これにより、離間部分４３が、一端側が幅広で他端側が幅狭となるテーパ状に形成されている。
【００４５】
このように、離間部分４３を、一端側が幅広で他端側が幅狭となるテーパ状に形成することで、離間部分４３の幅広部を上方に位置させることにより水抜きがしやすくなって、下方の幅狭部からは水が吹き上げにくくなる。
【００４６】
（変形例）
以上の実施形態においては、建物躯体に防水透湿シートを貼り付ける防水テープとしたが、本発明はこれに限定されるものではなく、他の用途に用いる防水テープであってもよい。
また、防水テープ本体及びその離間部分の形状、剥離紙及びそのスリットの形状や基準設計寸法等も任意であり、その他、具体的な細部構造等についても適宜に変更可能であることは勿論である。
また、防水テープは、予め工場で製造してもよいし、両面に剥離紙が貼り付けられたものに手作業で切り込みを入れるなどして製造してもよいものとする。
【符号の説明】
【００４７】
１  防水テープ
２  防水テープ本体
３  離間部分
４  剥離紙
５  スリット
６  剥離紙
７  幅広部
８  目盛り
１１  基礎
１２  台輪
１３  半土台（躯体）
１４  基礎水切り
１５  外壁パネル
１６  防水透湿シート
Ｌ  基準設計寸法
２１  防水テープ
２２  防水テープ本体
２３  離間部分
２４  剥離紙
２６  ロール芯
２７  端部カバー
３１  防水テープ
３２  防水テープ本体
３３  離間部分
３４  剥離紙
４１  防水テープ
４２  防水テープ本体
４３  離間部分
４４  剥離紙
【図１】
2016084592.tif 000003
【図２】
2016084592.tif 000004
【図３】
2016084592.tif 000005
【図４】
2016084592.tif 000006
【図５】
2016084592.tif 000007
【図６】
2016084592.tif 000008